(57)【要約】【課題】通信端末の現在時刻が、信頼性順位の低い時刻データによって設定変更されることを防止する。【解決手段】時刻提供部から時刻データを受信し、通信端末から時刻データ要求及び通信端末の現在時刻Ｂ１の取得先情報Ｂ２を受信する通信部と、時刻データに含まれる時刻とその時刻を送信してきた時刻提供部を識別する取得先情報とを取得する時刻取得部と、取得時刻を現在時刻Ａ１に設定する時刻設定部と、時刻提供部の信頼性順位を予め設定した信頼性テーブルと、現在時刻Ａ１に設定された取得時刻と、取得先情報Ａ２とを記憶した記憶部と、取得先情報Ｂ２の第１信頼性順位と取得先情報Ａ２の第２信頼性順位とを信頼性テーブルから読み出して比較する信頼性比較部とを備え、通信端末から時刻データ要求と取得先情報Ｂ２とを受信した場合、第１信頼性順位が第２信頼性順位よりも低い場合、現在時刻Ａ１と取得先情報Ａ２とを通信端末に送信する。【選択図】図７
2014035336.tif 000002
【特許請求の範囲】
【請求項１】
現在時刻を計時する計時部と、
時刻を提供する時刻提供部から時刻データを受信し、所定の通信端末から時刻データ要求および前記通信端末の現在時刻Ｂ１の取得先情報Ｂ２を受信する通信部と、
前記受信した時刻データに含まれる時刻と、その時刻を送信してきた時刻提供部を識別する取得先情報とを取得する時刻取得部と、
前記取得した時刻を現在時刻Ａ１に設定する時刻設定部と、
前記時刻を提供する時刻提供部の信頼性の高さを示す信頼性順位を予め設定した信頼性テーブルと、現在時刻Ａ１に設定された取得時刻と、その取得時刻の取得先情報Ａ２とを記憶した記憶部と、
前記通信端末から受信した取得先情報Ｂ２の第１信頼性順位と、前記記憶部に記憶されている取得先情報Ａ２の第２信頼性順位とを、前記信頼性テーブルから読み出し、前記第１および第２信頼性順位を比較する信頼性比較部と、
前記現在時刻Ａ１と、その現在時刻の取得先情報Ａ２とを前記通信端末へ送信する時刻通知部とを備え、
前記通信端末から時刻データ要求とその通信端末の現在時刻Ｂ１の取得先情報Ｂ２とを受信した場合、前記信頼性比較部による信頼性順位の比較の結果、前記第１信頼性順位が第２信頼性順位よりも低い場合、あるいは第２信頼性順位と同一の場合に、前記時刻通知部が、前記現在時刻Ａ１と取得先情報Ａ２とを、前記通信端末に送信することを特徴とする携帯端末。
【請求項２】
前記信頼性比較部の比較の結果、前記第１信頼性順位が第２信頼性順位よりも高い場合、
前記時刻通知部は、前記現在時刻Ａ１を前記通信端末に送信しないことを特徴とする請求項１に記載の携帯端末。
【請求項３】
前記時刻提供部には、時刻データを含む標準電波を送信する標準電波送信局、および時刻データを所定の通信ネットワークを介して送信する時刻サーバの少なくともいずれか一方が含まれ、
前記信頼性テーブルには、前記標準電波送信局および時刻サーバの信頼性順位が設定されていることを特徴とする請求項１または２に記載の携帯端末。
【請求項４】
前記通信部が行う前記通信端末との通信は、
前記通信端末との距離が所定の通信可能距離以内の場合に成立する近距離無線通信で行われることを特徴とする請求項１ないし３のいずれかに記載の携帯端末。
【請求項５】
前記通信端末は、近距離無線通信が可能な携帯性を有する端末であり、
前記時刻提供部から受信した時刻データに基づいて現在時刻を設定し、
前記時刻データ要求を送信するときに、前記現在時刻に設定された時刻を送信してきた時刻提供部を識別する取得先情報を、近距離無線通信により送信することを特徴とする請求項１ないし４のいずれかに記載の携帯端末。
【請求項６】
携帯端末と、前記携帯端末と近距離無線通信を行う通信端末と、前記携帯端末および通信端末に時刻を提供する時刻提供部とを備えた時刻設定システムであって、
前記携帯端末が、
現在時刻を計時する第１計時部と、
前記時刻提供部から時刻データを受信し、前記通信端末から時刻データ要求およびその通信端末の現在時刻Ｂ１の取得先情報Ｂ２を受信する第１通信部と、
受信した時刻データに含まれる時刻と、その時刻を送信してきた時刻提供部を識別する取得先情報とを取得する第１時刻取得部と、
前記取得した時刻を現在時刻Ａ１に設定する第１時刻設定部と、
前記時刻を提供する時刻提供部の信頼性の高さを示す信頼性順位を予め設定した信頼性テーブルと、現在時刻Ａ１に設定された取得時刻と、その取得時刻の取得先情報Ａ２とを記憶した第１記憶部と、
前記通信端末から受信した取得先情報Ｂ２の第１信頼性順位と、前記第１記憶部に記憶されている取得先情報Ａ２の第２信頼性順位とを、前記信頼性テーブルから読み出し、前記第１および第２信頼性順位を比較する信頼性比較部と、
前記設定された現在時刻Ａ１と、その現在時刻に設定された取得時刻を送信してきた時刻提供部を識別する取得先情報Ａ２とを含む送信時刻データを、前記通信端末に送信する時刻通知部とを備え、
前記通信端末が、
現在時刻を計時する第２計時部と、
前記時刻提供部から時刻データを受信する第２通信部と、
受信した時刻データに含まれる時刻と、その時刻を送信してきた時刻提供部を識別する取得先情報とを取得する第２時刻取得部と、
前記取得した時刻を現在時刻Ｂ１に設定する第２時刻設定部と、
現在時刻Ｂ１に設定された取得時刻と、その取得時刻の取得先情報Ｂ２とを記憶した第２記憶部と、
前記携帯端末に、時刻データ要求と、通信端末の現在時刻Ｂ１の取得先情報Ｂ２とを送信する時刻データ要求部とを備え、
前記携帯端末が、前記通信端末から時刻データ要求と取得先情報Ｂ２とを受信した場合、前記携帯端末の信頼性比較部が、前記通信端末から送信されてきた取引先情報Ｂ２の第１信頼性順位と、前記取得先情報Ａ２の第２信頼性順位とを比較した結果、
前記第１信頼性順位が第２信頼性順位よりも低い場合、あるいは第２信頼性順位と同一の場合、前記時刻通知部が、前記現在時刻Ａ１と取得先情報Ａ２とを、前記通信端末に送信し、
前記第１信頼性順位が第２信頼性順位よりも高い場合、前記時刻通知部は前記通信端末に現在時刻Ａ１を送信しないことを特徴とする時刻設定システム。
【請求項７】
相互に近距離無線通信を行う複数個の携帯端末と、
前記携帯端末に時刻を提供する複数個の時刻提供部とを備えた時刻設定システムであって、
前記各携帯端末が、現在時刻を計時する計時部と、
前記時刻提供部から時刻データを受信し、他の携帯端末から時刻データ要求およびその携帯端末の現在時刻Ｂ１の取得先情報Ｂ２を受信する通信部と、
受信した時刻データに含まれる時刻と、その時刻を送信してきた時刻提供部を識別する取得先情報とを取得する時刻取得部と、
前記取得した時刻を現在時刻Ａ１に設定する時刻設定部と、
前記時刻提供部の信頼性の高さを示す信頼性順位を予め設定した信頼性テーブルと、現在時刻Ａ１に設定された取得時刻と、その取得時刻の取得先情報Ａ２とを記憶した記憶部と、
前記他の携帯端末から受信した取得先情報Ｂ２の第１信頼性順位と、前記記憶部に記憶されている取得先情報Ａ２の第２信頼性順位とを、前記信頼性テーブルから読み出し、前記第１および第２信頼性順位を比較する信頼性比較部と、
前記時刻設定部によって設定された現在時刻Ａ１と、その現在時刻Ａ１に設定された取得時刻を送信してきた時刻提供部を識別する取得先情報Ａ２とを含む送信時刻データを、前記他の携帯端末に送信する時刻通知部とを備え、
前記任意の携帯端末Ａが、他の携帯端末Ｂから時刻データ要求を受信した場合、携帯端末Ａの信頼性比較部が、前記第１および第２信頼性順位を比較した結果、前記受信された取得先情報Ｂ２の第１信頼性順位が、前記記憶部に記憶されている取得先情報Ａ２の第２信頼性順位よりも低いかあるいは第２信頼性順位と同一である場合に、前記時刻通知部が、前記他の携帯端末Ｂに、携帯端末Ａの現在時刻Ａ１と取得先情報Ａ２とを送信し、
前記第１信頼性順位が第２信頼性順位よりも高い場合、前記時刻通知部は、現在時刻Ａ１を前記他の携帯端末に送信しないことを特徴とする時刻設定システム。
【発明の詳細な説明】
【技術分野】
【０００１】
この発明は、携帯端末に関し、特に、時刻設定機能を有する携帯端末に関する。
【背景技術】
【０００２】
今日、パソコンや携帯電話などの情報通信装置では、現在の時刻を設定し表示することのできる時刻設定機能を有しているものが多い。
また、Bluetooth（登録商標）などの近距離無線通信手段を備え、携帯電話やスマートフォンなどの携帯端末と、データ通信することが可能な小型の通信端末が利用されている。
この通信端末も、時刻の設定機能を備えたものがあり、さらに携帯端末から時刻データを取得して、通信端末の現在時刻を補正する機能を有するものがある（特許文献１参照）。
【０００３】
さらに、正確な時刻データを提供する標準電波送信局から送信される標準電波を受信して、現在時刻を設定する電子時計や通信端末も利用されている。
このような標準電波を受信するためには比較的長時間（数分間）を必要とし、受信できない場合もあることを考慮して、標準電波受信機能と、携帯電話等の情報通信装置から時刻データを取得する機能とを有し、自己の現在時刻を修正する通信端末も提案されている。
【０００４】
たとえば、特許文献２には、外部機器（携帯電話）から時刻データを取得する手段と、標準電波を受信する手段とを備え、外部機器から取得した時刻データに基づいて、現在時刻データを修正した後に、受信した標準電波を利用して、秒の位の現在時刻データを修正させる腕装着型端末が提案されている。
【０００５】
また、特許文献３には、標準電波を受信する手段と、外部機器から時刻データを受信する手段と、外部機器から受信した時刻と標準電波から取得した時刻との時間差を求めて記憶しておき、外部機器から受信された時刻データを、記憶されている時間差に基づいて補正して、内部時計を修正する腕装着型端末が提案されている。
【先行技術文献】
【特許文献】
【０００６】
【特許文献１】特開２００９−１１８４０３号公報
【特許文献２】特開２０１１−１１２４７２号公報
【特許文献３】特開２０１１−４７７２７号公報
【発明の概要】
【発明が解決しようとする課題】
【０００７】
しかし、上記の従来技術では、標準電波以外に、携帯端末などの外部機器から時刻データを取得して、その時刻データに基づいて現在の時刻が修正されるが、その外部機器から送信される時刻データが正確でない場合や、信頼性が低い場合がある。
現在時刻を修正しようとする通信端末が、すでに正確な時刻に設定されている場合であっても、時間修正機能が動作すると、外部機器から取得された時刻データに基づいて時刻の修正が行われるので、現在時刻が不正な時刻に修正されてしまう場合があった。
また、従来の携帯端末や通信端末は、現在時刻を修正するために外部機器から取得された時刻データが、現在設定されている現在時刻よりも信頼性の高いものか否かを判断していない。
【０００８】
そこで、この発明は、以上のような事情を考慮してなされたものであり、現在時刻を修正する場合に、現在時刻が、現在時刻よりも信頼性が低い時刻データによって設定変更されてしまうのを防止することを課題とする。
【課題を解決するための手段】
【０００９】
この発明は、現在時刻を計時する計時部と、時刻を提供する時刻提供部から時刻データを受信し、所定の通信端末から時刻データ要求および前記通信端末の現在時刻Ｂ１の取得先情報Ｂ２を受信する通信部と、前記受信した時刻データに含まれる時刻と、その時刻を送信してきた時刻提供部を識別する取得先情報とを取得する時刻取得部と、前記取得した時刻を現在時刻Ａ１に設定する時刻設定部と、前記時刻を提供する時刻提供部の信頼性の高さを示す信頼性順位を予め設定した信頼性テーブルと、現在時刻Ａ１に設定された取得時刻と、その取得時刻の取得先情報Ａ２とを記憶した記憶部と、前記通信端末から受信した取得先情報Ｂ２の第１信頼性順位と、前記記憶部に記憶されている取得先情報Ａ２の第２信頼性順位とを、前記信頼性テーブルから読み出し、前記第１および第２信頼性順位を比較する信頼性比較部と、前記現在時刻Ａ１と、その現在時刻の取得先情報Ａ２とを前記通信端末へ送信する時刻通知部とを備え、前記通信端末から時刻データ要求とその通信端末の現在時刻Ｂ１の取得先情報Ｂ２とを受信した場合、前記信頼性比較部による信頼性順位の比較の結果、前記第１信頼性順位が第２信頼性順位よりも低い場合、あるいは第２信頼性順位と同一の場合に、前記時刻通知部が、前記現在時刻Ａ１と取得先情報Ａ２とを、前記通信端末に送信することを特徴とする携帯端末を提供するものである。
【００１０】
これによれば、受信した取得先情報の第１信頼性順位が、記憶部に記憶されている取得先情報の第２信頼性順位よりも低い場合に、携帯端末の現在時刻が通信端末に送信されるので、通信端末の現在時刻は、常に、信頼性の高い取得先から取得した時刻によって設定することができる。
【００１１】
また、前記信頼性比較部の比較の結果、前記第１信頼性順位が第２信頼性順位よりも高い場合、前記時刻通知部は、現在時刻を通信端末に送信しないことを特徴とする。
これによれば、取得した時刻データに含まれる取得先情報の第１信頼性順位が、記憶部に記憶されている取得先情報の第２信頼性順位よりも高い場合、現在時刻を通信端末に送信しないので、通信端末の現在時刻が、信頼性の低い取得先から取得した不正確な時刻に変更されてしまうことを防止できる。
【００１２】
また、前記時刻提供部には、時刻データを含む標準電波を送信する標準電波送信局、および時刻データを所定の通信ネットワークを介して送信する時刻サーバの少なくともいずれか一方が含まれ、前記信頼性テーブルには、前記標準電波送信局および時刻サーバの信頼性順位が設定されていることを特徴とする。
【００１３】
また、前記通信部が行う前記通信端末との通信は、前記通信端末との距離が所定の通信可能距離以内の場合に成立する近距離無線通信で行われることを特徴とする。
【００１４】
また、前記通信端末は、近距離無線通信が可能な携帯性を有する端末であり、前記時刻提供部から受信した時刻データに基づいて現在時刻を設定し、時刻データ要求を送信するときに、その現在時刻に設定された時刻を送信してきた時刻提供部を識別する取得先情報を、近距離無線通信により送信することを特徴とする。
【００１５】
また、この発明は、携帯端末と、前記携帯端末と近距離無線通信を行う通信端末と、前記携帯端末および通信端末に時刻を提供する時刻提供部とを備えた時刻設定システムであって、前記携帯端末が、現在時刻を計時する第１計時部と、前記時刻提供部から時刻データを受信し、前記通信端末から時刻データ要求およびその通信端末の現在時刻Ｂ１の取得先情報Ｂ２を受信する第１通信部と、受信した時刻データに含まれる時刻と、その時刻を送信してきた時刻提供部を識別する取得先情報とを取得する第１時刻取得部と、前記取得した時刻を現在時刻Ａ１に設定する第１時刻設定部と、前記時刻を提供する時刻提供部の信頼性の高さを示す信頼性順位を予め設定した信頼性テーブルと、現在時刻Ａ１に設定された取得時刻と、その取得時刻の取得先情報Ａ２とを記憶した第１記憶部と、前記通信端末から受信した取得先情報Ｂ２の第１信頼性順位と、前記第１記憶部に記憶されている取得先情報Ａ２の第２信頼性順位とを、前記信頼性テーブルから読み出し、前記第１および第２信頼性順位を比較する信頼性比較部と、前記設定された現在時刻Ａ１と、その現在時刻に設定された取得時刻を送信してきた時刻提供部を識別する取得先情報Ａ２とを含む送信時刻データを、前記通信端末に送信する時刻通知部とを備え、前記通信端末が、現在時刻を計時する第２計時部と、前記時刻提供部から時刻データを受信する第２通信部と、
受信した時刻データに含まれる時刻と、その時刻を送信してきた時刻提供部を識別する取得先情報とを取得する第２時刻取得部と、前記取得した時刻を現在時刻Ｂ１に設定する第２時刻設定部と、現在時刻Ｂ１に設定された取得時刻と、その取得時刻の取得先情報Ｂ２とを記憶した第２記憶部と、前記携帯端末に、時刻データ要求と、通信端末の現在時刻Ｂ１の取得先情報Ｂ２とを送信する時刻データ要求部とを備え、前記携帯端末が、前記通信端末から時刻データ要求と取得先情報Ｂ２とを受信した場合、前記携帯端末の信頼性比較部が、前記通信端末から送信されてきた取引先情報Ｂ２の第１信頼性順位と、前記取得先情報Ａ２の第２信頼性順位とを比較した結果、前記第１信頼性順位が第２信頼性順位よりも低い場合、あるいは第２信頼性順位と同一の場合、前記時刻通知部が、前記現在時刻Ａ１と取得先情報Ａ２とを、前記通信端末に送信し、前記第１信頼性順位が第２信頼性順位よりも高い場合、前記時刻通知部は前記通信端末に現在時刻Ａ１を送信しないことを特徴とする時刻設定システムを提供するものである。
【００１６】
さらに、この発明は、相互に近距離無線通信を行う複数個の携帯端末と、前記携帯端末に時刻を提供する複数個の時刻提供部とを備えた時刻設定システムであって、前記各携帯端末が、現在時刻を計時する計時部と、前記時刻提供部から時刻データを受信し、他の携帯端末から時刻データ要求およびその携帯端末の現在時刻Ｂ１の取得先情報Ｂ２を受信する通信部と、受信した時刻データに含まれる時刻と、その時刻を送信してきた時刻提供部を識別する取得先情報とを取得する時刻取得部と、前記取得した時刻を現在時刻Ａ１に設定する時刻設定部と、前記時刻提供部の信頼性の高さを示す信頼性順位を予め設定した信頼性テーブルと、現在時刻Ａ１に設定された取得時刻と、その取得時刻の取得先情報Ａ２とを記憶した記憶部と、前記他の携帯端末から受信した取得先情報Ｂ２の第１信頼性順位と、前記記憶部に記憶されている取得先情報Ａ２の第２信頼性順位とを、前記信頼性テーブルから読み出し、前記第１および第２信頼性順位を比較する信頼性比較部と、前記時刻設定部によって設定された現在時刻Ａ１と、その現在時刻Ａ１に設定された取得時刻を送信してきた時刻提供部を識別する取得先情報Ａ２とを含む送信時刻データを、前記他の携帯端末に送信する時刻通知部とを備え、前記任意の携帯端末Ａが、他の携帯端末Ｂから時刻データ要求を受信した場合、携帯端末Ａの信頼性比較部が、前記第１および第２信頼性順位を比較した結果、前記受信された取得先情報Ｂ２の第１信頼性順位が、前記記憶部に記憶されている取得先情報Ａ２の第２信頼性順位よりも低いかあるいは第２信頼性順位と同一である場合に、前記時刻通知部が、前記他の携帯端末Ｂに、携帯端末Ａの現在時刻Ａ１と取得先情報Ａ２とを送信し、前記第１信頼性順位が第２信頼性順位よりも高い場合、前記時刻通知部は、現在時刻Ａ１を前記他の携帯端末に送信しないことを特徴とする時刻設定システムを提供するものである。
【発明の効果】
【００１７】
この発明によれば、受信した取得先情報の第１信頼性順位と、記憶部に記憶されている取得先情報の第２信頼性順位とを比較して、第１信頼性順位が第２信頼性順位よりも低いかあるいは第２信頼性順位と同一である場合、通信端末に、信頼性の高い携帯端末の現在時刻を送信しているので、通信端末の現在時刻は、常に、信頼性の高い取得先から取得した時刻によって設定することができる。
【００１８】
また、第１信頼性順位が第２信頼性順位よりも高い場合、現在時刻を通信端末に送信しないので、通信端末に現在設定されている現在時刻がそのまま維持され、信頼性の低い取得先から取得した不正確な時刻に変更されてしまうことを防止できる。
【図面の簡単な説明】
【００１９】
【図１】この発明の時刻設定システムの一実施例の構成ブロック図である。
【図２】この発明の携帯端末の一実施例の構成ブロック図である。
【図３】この発明のアクセサリ端末の一実施例の構成ブロック図である。
【図４】この発明で利用する信頼性テーブルの一実施例の説明図である。
【図５】この発明の時刻取得処理の一実施例のフローチャートである。
【図６】この発明の時刻取得確認の一実施例のフローチャートである。
【図７】この発明の携帯端末の時刻取得および送信処理の一実施例のフローチャートである。
【図８】この発明のアクセサリ端末の時刻取得および設定処理の一実施例のフローチャートである。
【図９】この発明のアクセサリ端末において、現在時刻を変更しない一実施例の通信シーケンスである。
【図１０】この発明のアクセサリ端末において、現在時刻を設定変更する場合の一実施例の通信シーケンスである。
【発明を実施するための形態】
【００２０】
以下、図面を使用して本発明の実施の形態を説明する。なお、以下の実施例の記載によって、この発明が限定されるものではない。
＜時刻設定システムの構成＞
図１に、この発明の時刻設定システムの一実施例の構成ブロック図を示す。
図１において、この発明の時刻設定システムは、主として、携帯端末１と、アクセサリ端末２と、時刻提供部３とから構成される。
携帯端末１は、種々の情報を送受信することのできる情報端末に相当し、たとえば携帯電話、スマートフォン、ＰＡＤ端末、ノートＰＣのような携帯性を有する小型・軽量の通信機器であり、情報の取得、記憶、表示および生成等の機能を有する端末である。ただし、携帯することのないすえおきタイプのパソコン等の情報処理装置であってもよい。また、アクセサリ端末や他の携帯端末と近距離無線通信が可能な端末である。
さらに、携帯端末（以下、ＫＴＥと略称する）１は、時刻サーバ等の時刻提供部３から時刻データtd01を受信し、受信した時刻データに基づいて現在時刻t01を設定し、現在時刻t01を計時し、表示する機能を有するものとする。
【００２１】
アクセサリ端末２は、上記した通信端末に相当し、携帯可能な小型・軽量の通信端末であり、携帯端末（ＫＴＥ）１よりも小型で、利用者の身体に取り付けることが可能な端末であり、ウェアラブル端末とも呼ぶ。
たとえば、腕時計のように腕に巻き付けたり、上着のポケット等にクリップで装着することができる程度の大きさの端末である。
【００２２】
また、アクセサリ端末（以下、ＡＴＥと略称する）２は、携帯端末ＫＴＥ１と通信する機能を有し、さらに、時刻サーバ等から時刻データtd02を取得し、現在時刻t02を計時し、表示する機能を有するものとする。
携帯端末ＫＴＥ１との通信は、無線信号を用いた無線通信で行うことが好ましく、たとえば、Bluetooth、WiFi-Direct等の近距離無線通信機能を有することが好ましい。
ここで、近距離無線通信とは、携帯端末ＫＴＥと通信端末ＡＴＥとの距離が所定の通信可能距離以内の場合に、データ通信が成立する通信のことを意味する。
たとえば、アクセサリ端末ＡＴＥ２は、Bluetoothによって、携帯端末ＫＴＥ１に対して時刻データの要求信号ＲＥＱを送信し、ＡＴＥ２の現在時刻の取得先情報ｓｔを送信し、携帯端末ＫＴＥ１から時刻データtd03を受信する。
【００２３】
時刻提供部３は、時刻情報を提供する設備あるいは装置等である。たとえば、標準電波送信局３ａ、時刻サーバ３ｂ、利用者入力３ｃが、時刻提供部３に相当する。
ここで、利用者入力３ｃは、説明のために、ＫＴＥやＡＴＥと分離して図示しているが、ＫＴＥやＡＴＥに備えられた入力機能を用いて、利用者が、自ら、現在時刻に相当する時刻データを入力することを意味する。
標準電波送信局３ａとは、いわゆる電波時計で受信される時刻データを含む標準電波を送信する設備であり、ここから送信される電波を受信することにより、現在時刻に相当するデータを生成し、現在時刻を設定することができる。
この標準電波送信局３ａから送信された電波に含まれる時刻データは、国もしくは地域の標準時刻なので、この電波を用いて現在時刻を設定した場合は、他の時刻提供部によって設定された現在時刻よりも、信頼性の高い時刻が設定されることになる。
【００２４】
時刻サーバ３ｂは、所定の通信ネットワークを介して、自らが持っている時刻データを、携帯端末ＫＴＥや通信端末ＡＴＥに送信する装置であり、配置される位置により、利用可能ないくつかの時刻サーバが存在する。
たとえば、携帯端末が携帯電話である場合、携帯電話へ各種情報を提供するネットワーク（携帯電話ネットワークと呼ぶ）に配置され、そのネットワークに接続可能な携帯電話に時刻データを送信する時刻サーバがある。
また、インターネット等のＷＡＮに接続され、ＷＡＮを介して、ＷＡＮに接続された種々の情報機器に時刻データを送信する時刻サーバもある。
あるいは、ＬＡＮに接続され、そのＬＡＮに接続された情報機器のみに時刻データを提供する時刻サーバもある。
【００２５】
この発明の時刻提供部３には、上記した標準電波送信局３ａおよび時刻サーバ３ｂの少なくともいずれか一方が含まれるものとする。
また、後述する信頼性テーブル２５には、標準電波送信局３ａおよび時刻サーバ３ｂの信頼性順位が予め設定されているものとする。
【００２６】
このように時刻提供部３には種々のものが存在し、提供される時刻データを用いればほとんど正しい現在時刻を設定することができるが、厳密には、提供される時刻データの信頼性が異なる。
たとえば、標準電波送信局３ａから送信される電波を直接受信して設定した場合の現在時刻が最も信頼性が高く、その次に、携帯電話ネットワークに接続された時刻サーバから送信された時刻データを用いて現在時刻を設定した場合の信頼性が高く、利用者自らが手動で入力した現在時刻の信頼性が最も低いと言うことができる。
この発明では、後述するように、携帯端末ＫＴＥ１において、予め設定した信頼性の高さを規定した信頼性テーブルを用いて、ＫＴＥ１に設定された現在時刻（t01）のＡＴＥ２への送信可否の判断をし、現在時刻t01の信頼性が高い場合に、時刻データｔｄ０３をＡＴＥ２へ送信することを特徴とする。
【００２７】
図１に示すように、携帯端末ＫＴＥ１とアクセサリ端末ＡＴＥ２のいずれも、時刻提供部３から提供される時刻データ（td01、td02）を取得し、その取得された時刻データに基づいて、それぞれの現在時刻（t01、t02）を設定する時刻設定機能を有するものとする。
また、携帯端末ＫＴＥ１は、アクセサリ端末ＡＴＥ２からの要求（時刻データ要求ＲＥＱ）に対応して、ＫＴＥ１の現在時刻の取得先とＡＴＥ２から受信したＡＴＥの現在時刻の取得先との信頼性順位の比較を行って、携帯端末ＫＴＥ１に設定されている現在時刻t01を含む時刻データ（td03）を、アクセサリ端末ＡＴＥ２に送信する時刻通知機能を有するものとする。
さらに、アクセサリ端末ＡＴＥ２は、時刻データ要求ＲＥＱと、ＡＴＥの現在時刻の取得先情報ｓｔとを送信し、携帯端末ＫＴＥ１から通知された時刻データtd03を受信し、この受信された時刻データtd03に含まれる時刻を現在時刻t02に設定する機能を有するものとする。
【００２８】
また、図１では、ＫＴＥ１とＡＴＥ２との間で、ＫＴＥ１からＡＴＥ２へ時刻データtd03を一方向的に送信する実施例を示しているが、これに限るものではない。
ＡＴＥ２も、時刻提供部３から提供される時刻データtd02を受信する機能を有しているので、ＡＴＥ２において設定した現在時刻t02と、現在時刻の設定に利用した時刻の取得先とを含む時刻データをＫＴＥ１へ送信してもよい。
【００２９】
さらに、時刻提供部３から提供される時刻データを受信することのできるＫＴＥ１やＡＴＥ２が複数台存在する場合、それらの複数台のＫＴＥ１およびＡＴＥ２の相互間で、近距離無線通信を行い、互いに、自己の現在時刻と、その現在時刻の設定に利用した時刻の取得先とを含む時刻データを送受信してもよい。
また、他のＫＴＥや時刻提供部３から受信した時刻データが複数存在する場合は、ＫＴＥあるいはＡＴＥの自己の現在時刻を設定したときの時刻の取得先と、受信した時刻データのそれぞれの取得先についての信頼性順位を比較し、最も高い信頼性順位を持つ取得先から取得した時刻を、現在時刻に設定すればよい。
【００３０】
＜携帯端末ＫＴＥの構成＞
図２に、この発明の携帯端末ＫＴＥの一実施例の構成ブロック図を示す。
図２において、携帯端末１（ＫＴＥ）は、主として、制御部１１、通信部１２、計時部１３、時刻取得部１４、時刻設定部１５、時刻通知部１６、表示部１７、入力部１８、信頼性比較部１９および記憶部２０とを備える。
制御部１１は、この発明の携帯端末ＫＴＥの各機能を実行させる部分であり、主として、ＣＰＵ、ＲＯＭ、ＲＡＭ、Ｉ／Ｏコントローラ、タイマー等からなるマイクロコンピュータにより実現される。また、ＣＰＵが、ＲＯＭ等に記憶された制御プログラムに基づいて、各種ハードウェアを有機的に動作させることにより、この発明の携帯端末ＫＴＥの機能が実現される。
【００３１】
通信部１２は、外部機器との間でデータ通信を行う部分であり、たとえば、アクセサリ端末ＡＴＥや時刻サーバと通信を行う部分である。特に、この発明では、複数の時刻提供部３から時刻データを受信できることが好ましい。
通信部１２の通信形態は、一義的に定められるものではないが、携帯端末ＫＴＥが携帯性を有するためには、無線通信を行う構成を備えることが好ましい。無線通信の規格やプロトコルは現在利用されているいずれを用いてもよく、特に限定されるものではない。また、携帯端末ＫＴＥ１とアクセサリ端末ＡＴＥ２とを同時に携帯し組み合わせて利用される場合は、ＫＴＥ１とＡＴＥ２との間の通信は、近距離無線通信（Bluetooth、WiFi-Direct）で行うことが好ましい。
【００３２】
計時部１３は、内蔵されるタイマーを用いて、現在時刻t01を計時する部分であり、いわゆる時計機能によって、日、時、分、秒などの時刻を生成する部分である。
時刻取得部１４は、ＫＴＥ１の外部にある時刻提供部３から、受信した時刻データtd01の内容を取得する部分である。
すなわち、受信した時刻データに含まれる時刻２３（以下、取得時刻と呼ぶ）と、その時刻を送信してきた時刻提供部を識別する取得先情報２４（以下、単に取得先とも呼ぶ）とを取得する部分である。
後述するように、取得された時刻２３と、取得先２４の情報は、取得情報２２として、記憶部２０に記憶される。
時刻設定部１５は、取得された時刻２３を現在時刻に設定する部分であり、たとえば、計時部１３によって計時されている現在時刻t01の値を、取得された時刻データtd01に含まれる取得時刻２３に設定変更する部分である。
【００３３】
時刻通知部１６は、生成された送信時刻データtd03を、アクセサリ端末ＡＴＥ２に送信する部分である。この送信時刻データtd03は、近距離無線通信によりＡＴＥ２へ送信される。
送信時刻データtd03は、後述するように、ＫＴＥ１に設定された現在時刻t01と、その現在時刻に設定された取得時刻２３を送信してきた時刻提供部３を識別する取得先情報、すなわちその現在時刻t01を取得した取得先２４とを含むデータである。
【００３４】
表示部１７は、ＫＴＥで利用する各種情報を表示させる部分であり、ＬＣＤ、有機ＥＬディスプレイなどが用いられる。現在時刻t01も、必要に応じて表示部１７に表示される。
入力部１８は、利用者が、情報の入力や、設定項目などの選択入力操作を行う部分であり、キーボード、マウス、タッチパネルなどが用いられる。
タッチパネルの場合は、表示部１７と入力部１８とが重ね合わせられて一体的に形成される。
【００３５】
信頼性比較部１９は、記憶部２０に記憶された現在時刻t01の取得先２４の信頼性順位と、ＡＴＥ２から送信されてきたＡＴＥの現在時刻の取得先情報（ＡＴＥ取得先情報２６）の信頼性順位とを比較する部分である。
この信頼性の比較には、記憶部２０に予め記憶されている信頼性テーブル２５を用いる。
すなわち、ＡＴＥ２から取得されたＡＴＥ取得先情報２６の第１信頼性順位と、記憶部２０に記憶されている取得先情報２４の第２信頼性順位とを、前記信頼性テーブル２５から読み出し、前記第１および第２信頼性順位を比較する。
【００３６】
後述するように、信頼性テーブル２５には、時刻取得先名称と、その取得先の信頼性順位（Ｊ）とが記憶されている。
信頼性比較部１９は、信頼性テーブル２５を参照して、２つの取得先（２４，２６）の信頼性順位を確認し、両者の信頼性順位（Ｊ）を比較するが、後述するように、この２つの取得先の信頼性順位の高低によって、送信時刻データtd03のＡＴＥ２への送信可否が判断される。
【００３７】
たとえば、信頼性比較部１９の比較の結果、上記第１信頼性順位が、第２信頼性順位よりも低い場合、あるいは第２信頼性順位と同一である場合、時刻通知部１６は、携帯端末ＫＴＥ１の現在時刻t01を、ＡＴＥ２へ送信する。
一方、信頼性比較部１９の比較の結果、第１信頼性順位が、第２信頼性順位よりも高い場合、時刻通知部１６は、送信時刻データtd03をＡＴＥ２へ送信しない。このとき、ＡＴＥ２へは、時刻データを送信しないことを示す時刻送信不可のデータを送信してもよい。
ただし、２つの取得先の信頼性順位が同一である場合、ＫＴＥ１の現在時刻を送信しないようにしてもよい。
【００３８】
記憶部２０は、ＫＴＥの各機能を実行するときに利用される情報や、プログラム等を記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部２０には、たとえば、現在時刻２１（t01）、取得情報２２、信頼性テーブル２５、ＡＴＥ取得先情報２６、送信時刻データ２７（td03）などが記憶される。
現在時刻２１（t01）は、計時部１３によって計時される現在時刻である。ただし、現在時刻２１は記憶部２０に記憶してもよいが、制御部１１が有しているタイマーの中に、一つの情報として記憶してもよい。
【００３９】
取得情報２２は、時刻提供部３から送信されてきた時刻データを記憶した部分であり、取得時刻２３と、取得先２４とからなる。
取得時刻２３は、時刻提供部３が生成した時刻に関する情報であり、現在時刻２１に設定された時刻である。
たとえば、標準電波送信局３ａから送信される電波によって特定される時刻が取得時刻である。取得時刻２３は、たとえば、年、月、日、時、分、秒を含むデータから構成される。
【００４０】
取得先２４は、取得時刻２３を含む時刻データを送信してきた相手先を特定する情報であり、現在時刻２１を設定するときに利用した取得時刻２３を送信してきた時刻提供部３を識別する取得先情報である。
取得先２４としては、たとえば、標準電波送信局３ａ、時刻サーバ３ｂ、利用者入力３ｃなどを識別する情報が記憶される。
【００４１】
送信時刻データ２７（td03）は、アクセサリ端末ＡＴＥへ送信する時刻データであり、少なくとも、ＫＴＥで設定されている現在時刻２１（t01）と、その現在時刻t01のもとになる取得時刻２３を取得した取得先２４とを含む。
この送信時刻データ２７は、たとえば、アクセサリ端末ＡＴＥ２からの時刻データ要求信号ＲＥＱを受信したときに生成され、時刻通知部１６によってＡＴＥ２へ送信される。
この発明では、携帯端末ＫＴＥは、時刻提供局３のいずれかから時刻データtd01を取得したときに、現在時刻t01を、その取得した時刻データtd01に含まれる取得時刻２３に変更するものとし、時刻データtd01に含まれる取得先２４を記憶部２０に記憶するものとする。
【００４２】
信頼性テーブル２５は、上記したように時刻を提供する時刻提供部３から提供される時刻データの信頼性の高さを示す信頼性順位を予め設定したものである。
図４に、信頼性テーブル２５の一実施例の説明図を示す。
信頼性テーブル２５は、信頼性順位（Ｊ）と、時刻取得先名称とから構成される。
ここで、信頼性順位（Ｊ）は、時刻データの取得先の信頼性の高低を示したものであり、Ｊ１の信頼性が最も高く、Ｊ５の信頼性が最も低いものとする。
【００４３】
図４の実施例では、標準電波送信局の信頼性（Ｊ１）が最も高く、その次に、携帯電話ネットワーク時刻サーバの信頼性（Ｊ２）が高く、利用者入力によって設定された時刻データの信頼性（Ｊ４）が最も低いことを示している。
また、時刻データが未設定の場合の信頼性を、利用者入力よりも低い信頼性（Ｊ５）として設定しているが、時刻データが未設定の場合に、上位４つの信頼性順位のいずれかの取得先から時刻が取得された場合は、現在時刻がその取得された時刻に設定されることになる。
【００４４】
信頼性テーブル２５は、初期設定値として予め固定的に設定してもよいが、利用者が必要に応じて設定変更できるようにしてもよい。また、信頼性テーブル２５の時刻取得先は図４に示すものに限ることはなく、時刻取得先の追加や削除ができるようにしてもよく、さらに、信頼性の順位を変更できるようにしてもよい。
【００４５】
記憶部２０のＡＴＥ取得先情報２６は、ＡＴＥ２の現在時刻の取得先情報であり、ＡＴＥ２において現在時刻を設定したときの時刻の取得先情報ｓｔである。すなわち、ＡＴＥ取得先情報２６は、後述するＡＴＥ２の取得情報４２として記憶されている取得先情報４４に相当する。また、ＡＴＥ取得先情報２６は、ＡＴＥ２から時刻データ要求を受信したときに、ＡＴＥ２から送信される。
【００４６】
＜アクセサリ端末ＡＴＥの構成＞
図３に、この発明のアクセサリ端末ＡＴＥの一実施例の構成ブロック図を示す。
図３において、アクセサリ端末２（ＡＴＥ）は、主として、制御部３１、通信部３２、計時部３３、時刻取得部３４、時刻設定部３５、時刻データ要求部３６、取得先通知部３７、表示部３８、入力部３９および記憶部４０とを備える。
ここで、制御部３１、通信部３２、計時部３３、時刻取得部３４、時刻設定部３５、表示部３８および入力部３９は、携帯端末ＫＴＥ１に備えられた同名称の各機能ブロックと同様の機能を有する。
【００４７】
通信部３２は、時刻提供部３の標準電波送信局３ａからの電波を受信し、時刻サーバ３ｂからの時刻データ（td02）を受信し、携帯端末ＫＴＥ１からの時刻データtd03を受信する。
ＡＴＥ２は、ＫＴＥ１よりも小型軽量な端末なので、表示部３８と入力部３９とは任意の構成要素であり、表示部３８と入力部３９を備えていない場合もある。
【００４８】
記憶部４０には、ＫＴＥ１の記憶部２０と同様に、現在時刻４１と取得情報４２が記憶され、さらに、ＫＴＥ１から送信されてくる送信時刻データ４６が記憶される。
受信した送信時刻データ４６は、上記したＫＴＥ１の送信時刻データ２７（td03）に相当する。
送信時刻データ４６には、取得時刻４６−１と、取得先４６−２とが含まれる。
【００４９】
＜時刻取得処理＞
図５に、この発明の携帯端末ＫＴＥおよびアクセサリ端末ＡＴＥで行われる時刻取得処理の一実施例のフローチャートを示す。この時刻取得処理は、ＫＴＥ１とＡＴＥ２において、同様に実行される。
【００５０】
ステップＳ１において、時刻取得部（１４，３４）が、時刻提供部３から送信されてくる時刻データが取得されたか否かを確認する。あるいは、利用者によって、時刻が設定入力されたか否かを確認する。この時刻取得確認処理の一実施例のフローチャートを、後述する図６に示す。
【００５１】
ステップＳ２において、時刻データが取得された場合はステップＳ３へ進み、取得されない場合は、ステップＳ１に戻る。ここで、取得される時刻データには、上記したように、取得時刻と取得先の情報を含むものとする。
【００５２】
ステップＳ３において、時刻設定部（１５，３５）が、取得した時刻データのうち、取得時刻（２３，４３）を、記憶部（２０，４０）に記憶する。
ステップＳ４において、時刻設定部（１５，３５）が、取得した時刻データのうち、取得先（２４，４４）を、記憶部（２０，４０）に記憶する。
【００５３】
ステップＳ５において、時刻設定部（１５，３５）が、取得された時刻データの取得時刻（２３，４３）を、現在時刻（t01,t02）に設定する。
以上の処理により、ＫＴＥ１およびＡＴＥ２は、時刻提供部３から提供された時刻データによって、現在時刻が新たに設定される。
【００５４】
なお、図５に示した時刻取得処理では、信頼性順位を考慮していないので、新たに時刻データが取得された場合は、必ず新たな取得時刻によって、現在時刻が再設定される。
従って、現在時刻が、信頼性の高い標準電波放送局から送信される標準電波によって設定されていた場合であったとしても、たとえば利用者が自らの入力によって、現在時刻を設定した場合は、信頼性の低い利用者入力による時刻が設定される。
【００５５】
ＫＴＥ１における時刻取得処理において、時刻提供部３から送信されてくる時刻データについて、信頼性順位を考慮して現在時刻を設定する場合は、時刻提供部３からの時刻データを取得したのを確認した後、すぐにステップＳ３，Ｓ４，Ｓ５を実行するのではなく、受信した時刻データの取得先とＫＴＥ１の現在時刻の取得先についての信頼性順位の比較をして、新たに取得した時刻データの取得先の信頼性の方が高い場合に、ステップＳ３〜Ｓ５を実行すればよい。
【００５６】
＜時刻取得確認処理＞
図６に、この発明の時刻取得確認処理の一実施例のフローチャートを示す。
このフローチャートは、図５に示したステップＳ１の詳細内容の一実施例を示したものである。
【００５７】
ステップＳ１１において、時刻提供部３のうち、標準電波放送局３ａから送信された標準電波を受信したか否かをチェックする。標準電波を一定時間以上受信し、その電波信号を解析して所定の時刻データを抽出することができた場合、ステップＳ１２へ進む。
一方、標準電波を受信できず、時刻データを抽出することができなかった場合は、ステップ１３へ進む。
【００５８】
ステップＳ１２において、標準電波から抽出された時刻データを受信し、受信フラグＲＶに、１を設定し、処理を終了する。
ここで、受信フラグＲＶは、受信した時刻データの取得先を識別するためのフラグである。
たとえば、受信した時刻データの取得先が標準電波送信局３ａである場合は、受信フラグをＲＶ＝１に設定する。
また、取得先が時刻サーバの場合は、ＲＶ＝２に設定し、利用者入力による場合はＲＶ＝４に設定するものとする。
さらに、時刻データの受信が確認できなかった場合は、ＲＶ＝０に設定するものとする。
【００５９】
この受信フラグＲＶは、図５のステップＳ２の判定処理に用いることができる。
ステップＳ２において、ＲＶ＝０の場合、時刻データを取得できなかったと判定され、ステップＳ１へ戻る。
また、ステップＳ２において、ＲＶ≠０の場合、時刻データが取得されたと判定され、ステップＳ３へ進む。
【００６０】
ステップＳ１３において、時刻サーバから送信される時刻データを受信したか否かをチェックし、受信した場合は、ステップＳ１４へ進み、そうでない場合はステップＳ１５へ進む。
ステップＳ１４において、時刻データを受信し、受信フラグＲＶに２を設定し、処理を終了する。
ステップＳ１５において、入力部を利用して利用者による時刻の入力があったか否かをチェックし、入力があった場合は、ステップＳ１６へ進み、そうでない場合はステップＳ１７へ進む。
ステップＳ１６において、時刻データが入力され、受信フラグＲＶに４を設定し、処理を終了する。
ステップＳ１７において、時刻が取得されなかったので、受信フラグＲＶに、ゼロを設定する。
時刻データを提供する時刻サーバや他の時刻提供部が追加された場合は、時刻データの受信をチェックするステップを追加し、新たな受信フラグを定義すればよい。
【００６１】
＜携帯端末の時刻取得送信処理＞
図７に、携帯端末ＫＴＥにおける時刻取得および時刻送信処理の一実施例のフローチャートを示す。
ステップＳ２１において、ＫＴＥの時刻取得部１４が、時刻提供部３のそれぞれから提供される時刻データが取得されたか否かをチェックし、現在時刻を設定する時刻取得処理を行う。ここでは、たとえば、図５に示したような時刻取得処理が実行される。
ステップＳ２２において、制御部１１が、通信部１２を介して、ＡＴＥ２からの時刻データ要求を受信したか否かをチェックする。
時刻データ要求は、ＡＴＥ２が、ＫＴＥ１に対して、ＫＴＥ１の有する現在時刻のデータを送信することを要求するデータである。
【００６２】
時刻データ要求を受信した場合、ステップＳ２３へ進み、そうでない場合は、ステップＳ２１へ戻る。
ステップＳ２３において、ＡＴＥ２から送信されるＡＴＥ取得先情報が受信されたか否かをチェックする。ＡＴＥ取得先情報が受信された場合は、ステップＳ２４へ進み、そうでない場合は、ステップＳ２３へ戻る。
このＡＴＥ取得先情報は、ＡＴＥ２の現在時刻を設定したときのもとになった時刻の取得先を識別する情報である。
【００６３】
ステップＳ２４において、受信したＡＴＥ取得先情報を、記憶部２０に、ＡＴＥ取得先情報２６（以下、ＡＴＥ取得先とも呼ぶ）として記憶する。
ステップＳ２５において、信頼性比較部１９が、信頼性テーブル２５を用いて、受信したＡＴＥ取得先２６と、記憶部２０に記憶されている取得先２４の信頼性順位（Ｊ）を取得し、両者の信頼性順位（Ｊ）を比較する。
【００６４】
ステップＳ２６において、受信したＡＴＥ取得先２６の信頼性順位が、記憶部の取得先２４の信頼性順位よりも低いかあるいは同一である場合、ステップＳ２７へ進み、ＡＴＥ取得先２６の信頼性順位が、記憶されている取得先２４の信頼性順位よりも高い場合は、ステップＳ２９へ進む。
ステップ２７へ進む場合は、ＫＴＥ１で現在計時されている現在時刻t01よりも、ＡＴＥ２から受信したＡＴＥ取得先２６の方が信頼性が低いか同一であるので、ＡＴＥ２へ、信頼性の高いＫＴＥ１の現在時刻t01を送信して、ＡＴＥ２の現在時刻を設定変更することが好ましい。
【００６５】
一方、そうでない場合は、ＡＴＥの現在時刻の取得先であるＡＴＥ取得先２６の方が、ＫＴＥ１の現在時刻t01の取得先２４よりも信頼性が高いので、ＡＴＥ２の現在時刻を、信頼性の低い取得先２４から取得した時刻で書き換えることは好ましくないため、ＡＴＥ２に対して、時刻データの送信は行わない。
【００６６】
したがって、ステップＳ２９において、ＡＴＥ２から受信した時刻データ要求に対する返信として、ＡＴＥ２へ、時刻送信不可を示すデータを送信する。ただし、ステップＳ２９の時刻送信不可の送信は必須ステップではなく、送信しなくてもよい。
【００６７】
ステップＳ２７において、時刻通知部１６が、記憶部２０から現在時刻t01と、取得先２４とを読み出し、送信時刻データtd03を生成する。すなわち、現在時刻t01と、その現在時刻を設定したときの時刻を送信してきた時刻提供部３を示す取得先２４の情報とを含む送信時刻データ２７（td03）を生成する。
ステップＳ２８において、生成した送信時刻データtd03を、ＡＴＥ２へ送信する。その後、ステップＳ２１へ戻る。
これにより、ＡＴＥ２からの要求に対して、取得先の信頼性順位の比較をした後に、ＫＴＥ１の現在時刻と、その現在時刻の取得先とを、ＡＴＥ２へ送信する。
【００６８】
＜アクセサリ端末の時刻取得設定処理＞
図８に、アクセサリ端末ＡＴＥにおける時刻取得および時刻設定処理の一実施例のフローチャートを示す。
ステップＳ４１において、ＡＴＥの時刻取得部３４が、時刻提供部３のそれぞれから提供される時刻データが取得されたか否かをチェックし、現在時刻を設定する時刻取得処理を行う。ここでは、たとえば、図５に示したような時刻取得処理が実行される。
【００６９】
ステップＳ４２において、制御部３１が、入力部３９を利用して利用者が入力した時刻データ取得要求があるか否かをチェックする。
あるいは、ＡＴＥ２が入力部３９を有していない場合などでは、一定時間ごと、電源が投入された直後、またはＫＴＥ１との間のリンク確立手順の中で、自動的に時刻データの取得要求をするようにしてもよい。
この取得要求があった場合は、ステップＳ４３へ進み、そうでない場合はステップＳ４１へ戻る。
【００７０】
ステップＳ４３において、時刻データの取得要求があったので、時刻取得部３４が、時刻データ要求を生成する。
時刻データ要求には、少なくとも、ＫＴＥ１に対して時刻データを送信することを要求する旨と、ＡＴＥそのものを特定するデータとを含めればよい。
ステップＳ４４において、時刻取得部３４が、生成した時刻データ要求を、ＫＴＥ１へ送信する。この時刻データ要求を受信したＫＴＥ１は、上記したように、信頼性の比較をし、送信時刻データをＡＴＥ２へ送信するか否かの判断をする。
【００７１】
ステップＳ４５において、ＡＴＥ２の記憶部４０から、取得先４４を読み出す。
すなわち、ＡＴＥの現在時刻を設定したときの時刻の取得先情報を、記憶部４０から読み出す。この取得先情報がＡＴＥ取得先情報２６に相当する。
【００７２】
ステップＳ４６において、読み出した取得先情報（ＡＴＥ取得先）を、ＫＴＥ１へ送信する。ＫＴＥ１では、このＡＴＥ取得先を受信すると、受信したＡＴＥ取得先と、ＫＴＥの記憶部２０に記憶されている取得先との信頼性順位を比較して、ＫＴＥ１の現在時刻を含む送信時刻データを送信すべきか否かを判断する。
【００７３】
なお、説明を明確にするために、時刻データ要求の送信と、取得先情報の送信とを区別して別のステップとしたが、時刻データ要求の中に、取得先情報を含めて１つのデータとして、ＫＴＥ１へ送信してもよい。ＫＴＥ１では、この時刻データ要求を受信した場合、その時刻データ要求に含まれる取得先情報を取得し、ＡＴＥ取得先情報２６として記憶すればよい。
【００７４】
ステップＳ４７において、時刻データ要求に対する返信として、ＫＴＥ１によって生成された送信時刻データが受信されるか否かをチェックする。受信されなければ、ステップＳ５０へ進み、受信された場合は、ステップＳ４８へ進む。
【００７５】
ステップＳ４８へ進む場合は、ＡＴＥ２で現在計時されている現在時刻は、ＫＴＥ１から受信した時刻データよりも信頼性の低い取得先あるいは信頼性が同一の取得先から取得したものであるので、ＡＴＥ２の現在時刻を書きかえることが好ましい。
【００７６】
ステップＳ４８において、ＫＴＥ１から受信した送信時刻データに含まれる時刻を、ＡＴＥ２の現在時刻t02に設定し、さらに、記憶部４０の取得時刻４３に記憶する。
ステップＳ４９において、ＫＴＥ１から受信した時刻データに含まれる取得先st1を、記憶部４０の取得先４４（st2）に設定記憶する。その後、ステップＳ４１へ戻る。
【００７７】
一方、ステップＳ５０において、ＫＴＥ１から、時刻送信不可のデータを受信したか否かをチェックする。
時刻送信不可のデータを受信した場合、ＫＴＥ１から送信時刻データは送信してこないので、ステップＳ４１へ戻り、そうでない場合は、ステップＳ４７へ戻る。
送信時刻データを受信することなく時刻送信不可のデータを受信した場合は、ＡＴＥ２の現在時刻の取得先の方が、ＫＴＥ１の現在時刻の取得先よりも、その信頼性順位が高いので、ＡＴＥ２の現在時刻は、書きかえられない。
なお、送信時刻データを受信せず、さらに時刻送信不可のデータも受信しないまま、一定時間を経過した場合は、ステップＳ４１へ戻ればよい。
【００７８】
以上のように、ＡＴＥ２の現在時刻が、信頼性の低い取得先から取得したものである場合において、信頼性のより高い取得先から取得されたＫＴＥ１から受信した時刻データに含まれる時刻によって、ＡＴＥ２の現在時刻が設定変更される。
【００７９】
また、ＡＴＥ２の現在時刻Ａが、もし、ＫＴＥ１の現在時刻Ｂの取得先よりも信頼性の高い取得先から取得したものである場合、ＫＴＥ１から送信時刻データが送信されてこないので、ＡＴＥ２の現在時刻Ａは、信頼性の低い取得先から取得された時刻に書きかえられることはなく、信頼性の高い状態で維持される。
したがって、ＫＴＥ１とＡＴＥ２において、相互の現在時刻の同期をとる場合、両者の現在時刻の取得先が異なったとしても、ＡＴＥ２の現在時刻は信頼性の高い取得先から取得した時刻が維持設定され、信頼性の低い取得先から取得した時刻に設定変更されることが防止できる。
【００８０】
また、上記実施例では、説明を容易にするために、ＡＴＥ２の現在時刻を、ＫＴＥ１から送信される送信時刻データに基づいて設定する場合を記載したが、逆に、ＡＴＥ２の現在時刻と取得先を含む時刻データをＫＴＥ１へ送信し、ＫＴＥ１の現在時刻を、この時刻データに基づいて設定するようにしてもよい。
この場合、ＫＴＥ１が、時刻データ要求部と取得先通知部とを備え、ＡＴＥ２が、図４に示すような信頼性テーブルを備えて時刻データの送信可否を判断し、時刻データを送信する時刻通知部を備えればよい。
これにより、ＫＴＥ１とＡＴＥ２の現在時刻の同期をとる場合に、ＫＴＥ１とＡＴＥ２の現在時刻を、より信頼性の高い取得先から取得した時刻に設定することができる。
【００８１】
＜現在時刻を変更しない実施例＞
図９に、アクセサリ端末において、現在時刻を変更しない一実施例の通信シーケンスを示す。ここでは、ＫＴＥ１から送信時刻データの送信を行わず、時刻送信不可の送信を行う。
図９には、ＫＴＥ１とＡＴＥ２との間で行われる通信シーケンスを示している。この通信は、上記したように、近距離無線通信で行われる。
ここで、ＫＴＥ１において、すでに現在時刻t01が設定されており、その現在時刻t01の取得先がst1で、その取得先の信頼性順位がＪ２であったとする。
また、ＡＴＥ２において、すでに現在時刻t02が設定されており、その現在時刻t02の取得先がst2で、その取得先の信頼性順位がＪ１であったとする。
また、２つの信頼性順位（Ｊ１，Ｊ２）の高低について、Ｊ１の方がＪ２よりも高いものとして、信頼性テーブル２５に設定されているものとする。
【００８２】
上記のような現在時刻が設定されている場合に、ＡＴＥ２からＫＴＥ１へ、時刻データ要求が送信されたとする（図８のステップＳ４４）。
ＫＴＥ１において、ＡＴＥ２からの時刻データ要求を受信する（図７のステップＳ２２）。
さらに、ＡＴＥ２からＫＴＥ１へ、ＡＴＥ取得先st2を送信する（図８のステップＳ４６）。ＫＴＥ１において、このＡＴＥ取得先st2を受信する（図７のステップＳ２３）。
次に、ＫＴＥ１において、ＡＴＥ２から取得されたＡＴＥ取得先st2の信頼性順位（Ｊ１）と、ＫＴＥ１に記憶されている取得先st1の信頼性順位（Ｊ２）とを比較する（図７のステップＳ２５）。
【００８３】
上記したように、信頼性順位Ｊ１の方が、信頼性順位Ｊ２よりも高いとすると（Ｊ１＞Ｊ２）、ＡＴＥ２の現在時刻t02の取得先st2の信頼性順位（Ｊ１）の方が、ＫＴＥ１の現在時刻t01の取得先st1の信頼性順位（Ｊ２）よりも高いので、ＫＴＥ１から送信時刻データは送信されず、時刻送信不可のデータを生成し、ＡＴＥ２へ送信する（図７のステップＳ２６，Ｓ２９）。ＡＴＥ２では、時刻送信不可を受信すると、現在時刻t02はそのまま維持され、変更しない（図８のステップＳ５０）。
このように、ＡＴＥ２において、ＫＴＥ１から、より信頼性の低い時刻が送信されてくることはないので、その信頼性の低い時刻によって現在時刻t02が変更されることが防止される。
【００８４】
＜現在時刻を変更する実施例＞
図１０に、アクセサリ端末において、現在時刻を設定変更する一実施例の通信シーケンスを示す。ここでは、ＫＴＥ１から送信時刻データが、ＡＴＥ２へ送信される。
図１０においても、図９と同様に、ＫＴＥ１とＡＴＥ２との間で行われる通信シーケンスを示し、ＫＴＥ１とＡＴＥ２の現在時刻t01とt02はすでに設定されており、その現在時刻の取得先を、それぞれst1とst2とする。
ただし、図９と異なり、ＫＴＥ１の現在時刻t01の取得先st1の信頼性順位をＪ１とし、ＡＴＥ２の現在時刻t02の取得先st2の信頼性順位をＪ２とする。
ここで、信頼性順位Ｊ１の方が、信頼性順位Ｊ２よりも高いものとする（Ｊ１＞Ｊ２）。
【００８５】
図１０において、前半部分のＡＴＥ２の時刻データ要求の送信から、ＫＴＥ１における信頼性順位の比較までのシーケンスは、図９と同様である。
図１０では、信頼性順位の比較において、Ｊ１＞Ｊ２であるので、ＫＴＥ１の現在時刻t01の取得先st1の信頼性順位（Ｊ１）の方が、ＡＴＥ２から送信されてきたＡＴＥ２の現在時刻t02の取得先st2の信頼性順位（Ｊ２）よりも高い（図７のステップＳ２６）。
したがって、ＫＴＥ１は、信頼性順位が高い自己の現在時刻t01と、ＫＴＥ１の取得先st1とを含む送信時刻データtd03を生成し、ＡＴＥ２へ送信する（図７のステップＳ２７，Ｓ２８）。
図８のステップＳ４７において、ＡＴＥ２は、送信時刻データtd03を受信する。
ＡＴＥ２において、現在時刻t02よりも信頼性が高いと判断された現在時刻t01を、ＫＴＥ１から受信したので、現在時刻t02を、受信した現在時刻t01に設定変更する（図８のステップＳ４８）。
さらに、ＡＴＥ２の取得先４４を、受信した取得先st1に設定変更する（図８のステップＳ４９）。
このように、ＫＴＥ１からより信頼性の高い時刻t01が送信されてくるので、ＡＴＥ２の現在時刻t02は、その信頼性の高い時刻t01に設定変更される。
【符号の説明】
【００８６】
１    携帯端末（ＫＴＥ）
２    アクセサリ端末（ＡＴＥ）
３    時刻提供部
３ａ  標準電波送信局
３ｂ  時刻サーバ
３ｃ  利用者入力
１１    制御部
１２    通信部
１３    計時部
１４    時刻取得部
１５    時刻設定部
１６    時刻通知部
１７    表示部
１８    入力部
１９    信頼性比較部
２０    記憶部
２１    現在時刻（t01）
２２    取得情報
２３    取得時刻
２４    取得先
２５    信頼性テーブル
２６    ＡＴＥ取得先情報
２７    送信時刻データ（td03）
３１    制御部
３２    通信部
３３    計時部
３４    時刻取得部
３５    時刻設定部
３６    時刻データ要求部
３７    取得先通知部
３８    表示部
３９    入力部
４０    記憶部
４１    現在時刻（t02）
４２    取得情報
４３    取得時刻
４４    取得先
４６    受信した送信時刻データ
４６−１  取得時刻
４６−２  取得先
【図１】
2014035336.tif 000003
【図２】
2014035336.tif 000004
【図３】
2014035336.tif 000005
【図４】
2014035336.tif 000006
【図５】
2014035336.tif 000007
【図６】
2014035336.tif 000008
【図７】
2014035336.tif 000009
【図８】
2014035336.tif 000010
【図９】
2014035336.tif 000011
【図１０】
2014035336.tif 000012